(57)【要約】【課題】加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】容器本体とこれを開閉する蓋体６とを有する化粧料容器において、蓋体６にこれを覆って交換可能に設けられる交換用カバー７と、蓋体６の外面６ａに形成された窪み部２１と、窪み部２１内に設けられた第２係合体１６ａと、交換用カバー７に設けられ、窪み部２１を隠蔽する可撓変形可能な操作片２６と、操作片２６に第２係合体１６ａと係脱自在に設けられ、操作片２６の可撓変形に応じて当該第２係合体１６ａから離脱される第２被係合体１６ｂとを備えた。【選択図】          図３
2004222933.tif 000002
【特許請求の範囲】
【請求項１】
容器本体とこれを開閉する蓋体とを有する化粧料容器において、
上記蓋体および上記容器本体の少なくともいずれか一方に、これらを覆って交換可能に設けられる交換用カバーと、上記蓋体もしくは上記容器本体の外面に形成された窪み部と、該窪み部内に設けられた係合部と、上記交換用カバーに設けられ、上記窪み部を隠蔽する可撓変形可能な操作片と、該操作片に上記係合部と係脱自在に設けられ、該操作片の可撓変形に応じて該係合部から離脱される被係合部とを備えたことを特徴とする化粧料容器。
【発明の詳細な説明】
【０００１】
【発明の属する技術分野】
本発明は、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−４９０００、特願２００２−２８０３４０、特願２００２−３０４６８２、特願２００２−３０４６８３、特願２００２−３２１８７３、特願２００２−３２１８７４を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体とこれを開閉する蓋体とを有する化粧料容器において、上記蓋体および上記容器本体の少なくともいずれか一方に、これらを覆って交換可能に設けられる交換用カバーと、上記蓋体もしくは上記容器本体の外面に形成された窪み部と、該窪み部内に設けられた係合部と、上記交換用カバーに設けられ、上記窪み部を隠蔽する可撓変形可能な操作片と、該操作片に上記係合部と係脱自在に設けられ、該操作片の可撓変形に応じて該係合部から離脱される被係合部とを備えたことを特徴とする。
【０００８】
これにより、加飾部分が容器本体や蓋体から部分的にでも剥がれたり、また脱落したりすることがないという要請に応えることができ、かつまた購買者が好みに応じて外観を選ぶことができる自由度を高めることが可能となる。また係合部に被係合部を係合させるためのスペースである窪み部を操作片で隠蔽するようにしていて、化粧料容器の外観を良好に維持することも可能となる。
【０００９】
【発明の実施の形態】
以下に、本発明にかかる化粧料容器の好適な一実施形態を、添付図面を参照して詳細に説明する。本実施形態にかかる化粧料容器１は図１〜図５に示すように、収納凹部２が形成された皿状の合成樹脂製容器本体３と、容器本体３の前後方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６に着脱自在に設けられ、交換可能に蓋体６の外面６ａを覆う板体状の合成樹脂製の交換用カバー７とから主に構成される。
【００１０】
交換用カバー７の材質は合成樹脂製に限らず、金属製であってもよい。また、交換用カバー７は容器本体３を覆って設けられてもよく、また蓋体６および容器本体３の双方に設けられてもよい。図示例にあっては、これら容器本体３、蓋体６、並びに交換用カバー７は平面外形輪郭が矩形状に形成されるけれども、多角形状や円形状であってもよい。蓋体６の内面６ｂには、鏡８が取り付けられている。
【００１１】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、フック５とは反対側において容器本体３の後端から一対突設されたヒンジ片１２間に、蓋体６の後端から垂下させたヒンジブロック１３が挟み込まれ、これらヒンジブロック１３からヒンジ片１２にわたって形成したピン穴１４にヒンジピン（図示せず）が挿入されることで構成され、ヒンジブロック１３はヒンジピンを介してヒンジ片１２に対し回動自在に連結される。
【００１２】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって一体不可分に分離不能に一体的に形成される。
【００１３】
これら交換用カバー７は、その外形輪郭が容器本体３の外形輪郭と一致するようにほぼ同じ外形寸法で形成されるとともに、この交換用カバー７が取り付けられる蓋体６は、取り付け代を確保するためにこれらよりも若干小さな外形寸法で形成され、交換用カバー７はこの蓋体６の上にこれを覆って重ね合わされる。
【００１４】
交換用カバー７と蓋体６との間には、これらを係脱自在に係合する第１係合手段１５および第２係合手段１６が設けられる。これら係合手段１５，１６は、蓋体６の前後方向両端であるフック５側およびヒンジ４側にそれぞれ位置される。フック５側の第１係合手段１５は、蓋体６側の第１係合体１５ａと交換用カバー７側の第１被係合体１５ｂとから構成される。
【００１５】
第１係合体１５ａは、フック片１１が位置する蓋体６の一側縁全体をヒンジ４側へ向かって段違いに窪ませた凹部１７の上に、この凹部１７を部分的に覆うように突出させて形成される。また第１被係合体１５ｂは、第１係合体１５ａ側の交換用カバー７の前側縁全体を垂下させた垂下部１８から、第１係合体１５ａに対応する部分を当該第１係合体１５ａ下の凹部１７に向かって突出させて形成される。
【００１６】
これら第１係合体１５ａと第１被係合体１５ｂは、交換用カバー７を蓋体６の上から重ね合わせることによって、第１被係合体１５ｂが第１係合体１５ａを乗り越えてその下の凹部１７内に入り込むことにより、互いに係脱自在に係合されるようになっている。特に、乗り越える過程で第１被係合体１５ｂが第１係合体１５ａと向かい合う面は、その乗り越えをスムーズにするためにテーパ面１９で形成される一方で、係合状態で互いに噛み合う第１係合体１５ａと第１被係合体１５ｂの隅角部同士２０は、互いの係合が外れにくいように角をつけて形成される。
【００１７】
ヒンジ４側の第２係合手段１６も第１係合手段１５と同様に、係合部である蓋体６側の第２係合体１６ａと、被係合部である交換用カバー７側の第２被係合体１６ｂとから構成される。蓋体６にはその外面６ａに窪み部２１が形成される。この窪み部２１は図１〜図３に示すように、蓋体６の後端中央部から下方のヒンジブロック１３にわたって相当の深さで、上方および後方へ向かって開放されるように形成され、ヒンジブロック１３の後面にＵ字状の開口２２を区画するとともに、開口２２の下方には溝部２３を区画するように形成される。そして溝部２３内にはＵ字状の開口２２の下端に位置させて、窪み部２１内に突出する第２係合体１６ａが形成される。
【００１８】
他方、交換用カバー７には、そのヒンジ側端縁全体を蓋体６側に向かって垂下させて、蓋体６のヒンジ側端縁全体に形成された棚部２４に載置される垂下部２５が形成されるとともに、この垂下部２５からさらに下方へ開口２２の形状に合わせて弾性的に可撓変形可能に垂下され、当該開口２２にはめ合わされて窪み部２１を隠蔽する操作片２６が設けられる。そしてこの操作片２６の下端には第２係合体１６ａと向かい合うように、これよりＬ字状に屈曲されて溝部２３内に挿入され、当該第２係合体１６ａと係脱自在に係合される第２被係合体１６ｂが形成される。
【００１９】
これら第２係合体１６ａと第２被係合体１６ｂも、交換用カバー７を蓋体６の上から重ね合わせると、第２被係合体１６ｂが第２係合体１６ａを乗り越えて互いに係脱自在に係合されるようになっている。この第２係合部１６にあっては、乗り越える過程で第２係合体１６ａおよび第２被係合体１６ｂが互いに向かい合う面は、その乗り越えをスムーズにするためにテーパ面２７，２８で形成される一方で、係合状態で互いに噛み合う第２係合体１６ａと第２被係合体１６ｂの隅角部同士２９は、互いの係合が外れにくいように角をつけて形成される。
【００２０】
本実施形態にかかる化粧料容器１の作用について説明すると、図４および図５にも示すように、化粧料容器１を購入した購買者が蓋体６に装着されている交換用カバー７を、他のデザインの新たな交換用カバー７に交換する際には、ヒンジブロック１３の開口２２にはめ合わされている操作片２６を、化粧料容器１の前方へ窪み部２１の奥に向かって押圧操作する。
【００２１】
操作片２６を押圧操作すると、当該操作片２６の可撓変形に応じて第２被係合体１６ｂは第２係合体１６ａから離脱されるので、その後交換用カバー７を蓋体６に対して引き離すように持ち上げる。このようにして第２係合部１６を離脱させて交換用カバー７を蓋体６から分離させると、第１係合部１５の第１係合体１５ａと第１被係合体１５ｂとの係合を離脱させることができ、交換用カバー７を蓋体６から取り外すことができる。
【００２２】
次いで新たな交換用カバー７を蓋体６に装着する際には、第１係合部１５を係合させた状態で、第２係合部１６側において交換用カバー７を蓋体６に向かって押し付ければ、操作片２６が開口２２にはめ合わされると同時に、その可撓変形によって第２被係合体１６ｂが第２係合体１６ａと係合し、これにより新しい交換用カバー７を蓋体６に重ね合わせて取り付けることができる。
【００２３】
以上説明したように本実施形態にかかる化粧料容器１にあっては、蓋体６に、これを覆って交換可能に設けられる交換用カバー７と、蓋体６の外面６ａに形成された窪み部２１と、窪み部２１内に設けられた第２係合体１６ａと、交換用カバー７に設けられ、窪み部２１を隠蔽する可撓変形可能な操作片２６と、操作片２６に第２係合体１６ａと係脱自在に設けられ、操作片２６の可撓変形に応じて当該第２係合体１６ａから離脱される第２被係合体１６ｂとを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。
【００２４】
また交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。また、交換用カバー７と蓋体６との間にこれらを係脱自在に係合する第１係合部１５および第２係合部１６を設けていて、これら係合部１５，１６の係脱操作によって、簡単に交換用カバー７の交換をすることができる。
【００２５】
さらに、本実施形態にあっては、交換用カバー７が蓋体６にその外面６ａを覆って設けられ、蓋体６には、容器本体３を開閉するために当該容器本体３に回動自在に連結されるヒンジブロック１３が設けられ、窪み部２１が蓋体６からヒンジブロック１３にわたって形成されるとともに、操作片２６がヒンジブロック１３の開口２２にはめ合わされるので、ヒンジブロック１３を利用して、交換用カバー７を蓋体６に着脱するための窪み部２１や第２係合体１６ａ、操作片２６を備えるためのスペースを確保することができ、化粧料容器１の外形寸法が大きくなることを防止できる。
【００２６】
また、窪み部２１を操作片２６で隠蔽するようにしているので、化粧料容器１の外観を良好なものとすることができる。さらに、第２被係合部１６ｂを係脱させる操作片２６が、弾性的に可撓変形自在であるので、第２係合部１６の係脱操作の操作性を向上させることができる。
【００２７】
図６には、上記実施形態の変形例が示されている。この変形例は、交換用カバー７からの操作片２６の垂下量を短くできるようにしたもので、交換用カバー７に操作片２６を挟んで一対のスリット３０が形成される。このように構成すれば、例えば容器本体３の深さが浅くて、ヒンジブロック１３の開口２２を大きく形成することができなくても、スリット３０によって操作片２６の垂下量を確保できて柔軟に可撓変形させることができる。このような変形例にあっても上記実施形態と同様の作用・効果を奏することはもちろんである。
【００２８】
上述した本実施形態にあっては、蓋体６に交換可能にこれを覆う交換用カバー７を着脱自在に設ける場合を例にとって説明したが、容器本体３に交換用カバー７を設けるようにしても良い。この場合には、ヒンジ片１２を利用して窪み部２１や第２係合体１６ａを設けるようにすればよい。
【００２９】
本実施形態にあっては、ヒンジ４やフック５を備えた化粧料容器１を例示して説明したが、これに限らず、容器本体３に対してネジ構造や径嵌合構造によって蓋体６を着脱するタイプの各種容器に適用してもよいことはもちろんである。
【００３０】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器を後方から見た斜視図である。
【図３】図１の化粧料容器の一部分解斜視断面図である。
【図４】図１の化粧料容器において、交換用カバーを取り外す最初の段階を示すヒンジブロック周辺の部分拡大側断面図である。
【図５】図１の化粧料容器において、交換用カバーを取り外す最後の段階を示すヒンジブロック周辺の部分拡大側断面図である。
【図６】本発明にかかる化粧料容器の変形例を示す、化粧料容器を後方から見た斜視図である。
【符号の説明】
１  化粧料容器                      ３  容器本体
６  蓋体                            ６ａ  蓋体の外面
７  交換用カバー                    １６ａ  第２係合体
１６ｂ  第２被係合体                ２１  窪み部
２６  操作片
【図１】
2004222933.tif 000003
【図２】
2004222933.tif 000004
【図３】
2004222933.tif 000005
【図４】
2004222933.tif 000006
【図５】
2004222933.tif 000007
【図６】
2004222933.tif 000008